(57)【要約】【課題】  水を無駄に使用することのない給湯装置を提供する。【解決手段】  水道水と温水とを混合して適温の混合水を供給するための装置であり、水道水と温水を混合し、蛇口２ａから供給する混合水栓２と、温水を作り出す給湯器３と、上流側が給湯器３に給湯管７によって連結され、下流側が混合水栓２に送り管８によって連結されると共に、給湯器３に戻し管９を介して連結された水温度切替弁４と、を備える。水温度切替弁４は、蛇口２ａを開放した際には、送り管８を閉状態とすると共に、戻し管９を開状態として、給湯管７に残存している冷水を給湯器３に送り戻す。その後、給湯器３から送られてくる温水を温度感知して作動し、送り管８を開状態とする共に戻し管９を閉状態として、温水を前記混合水栓２に送り出す。【選択図】    図１
0003153758.tif 000002
【実用新案登録請求の範囲】
【請求項１】
水道水と温水とを混合して適温の混合水を供給するための給湯装置であって、前記水道水と温水を混合し，蛇口（２ａ）から供給する混合水栓（２）と、前記温水を作り出す給湯器（３）と、上流側が前記給湯器に給湯管（７）によって連結され，下流側が前記混合水栓に送り管（８）によって連結されると共に，前記給湯器に戻し管（９）を介して連結された水温度切替弁（４）と、を備え、前記水温度切替弁は，前記蛇口を開放した際には，前記送り管を閉状態とすると共に，前記戻し管を開状態として，前記給湯管に残存している冷水を前記給湯器に送り戻すものであり，その後，前記給湯器から送られてくる温水を温度感知して作動し，前記送り管を開状態とする共に前記戻し管を閉状態として，前記温水を前記混合水栓に送り出すものであることを特徴とする給湯装置。
【請求項２】
水道水と温水とを混合して適温の混合水を供給するための給湯装置であって、前記水道水と温水を混合し，蛇口（２ａ）から供給する混合水栓（２）と、前記温水を作り出す給湯器（３）と、上流側が前記給湯器に給湯管（７）によって連結され，下流側が前記混合水栓に送り管（８）によって連結されると共に，前記給湯器に戻し管（９）を介して連結された水温度切替弁（４）と、を備え、前記水温度切替弁は，前記蛇口を開放した際には，前記送り管を閉状態とすると共に，前記戻し管を開状態として，前記給湯管に残存している冷水を前記給湯器に送り戻すものであり，その後，前記給湯器から送られてくる温水を温度感知して作動し，前記送り管を開状態とする共に前記戻し管を閉状態として，前記温水を前記混合水栓に送り出すものであり、前記戻し管に，水流感知センサー（５ａ）によって作動し，該戻し管の冷水を前記給湯器に加圧供給する加圧液体ポンプ（５）を設け，その下流側に，逆止弁（６）を設けたことを特徴とする給湯装置。
【請求項３】
水温度切替弁（４）を、バイメタル作動弁で構成したことを特徴とする請求項１または２に記載の給湯装置。
【請求項４】
給湯管（７）と送り管（８）との間に、水温度切替弁（４）を通過しないバイパス管（１２）を設けたことを特徴とする請求項１、２または３に記載の給湯装置。
【考案の詳細な説明】
【技術分野】
【０００１】
本考案は、水道水と、給湯器からの温水とを混合して適温の混合水とし、それを蛇口から供給する給湯装置に関するものである。
【背景技術】
【０００２】
従来から、水道水と、給湯器からの温水とを混合して適度な温度に設定した混合水を蛇口から供給する給湯装置が広く使用されている。
【０００３】
こうした給湯装置は、常に、安定して適温の混合水を供給することができるといった優れた特徴を有する。
【考案の概要】
【考案が解決しようとする課題】
【０００４】
しかし、この従来の給湯装置には解決すべき問題がある。すなわち、水道水と給湯器からの温水を混合して蛇口から給水するように設定して、当該蛇口を開放すると、その直後は低温の混合水のみが給水されてしまう。これは、給湯器から蛇口に至るまでの給湯管に冷めた温水（冷水）が残存し、この冷水が、蛇口を開放した直後に供給されることによるものである。
【０００５】
そして、この冷水は使用されることなく、そのまま排水管から放出されてしまう。従って、従来の給湯装置には、水を無駄に使ってしまうといった問題がある。
【０００６】
本考案はこうした問題に鑑み創案されたもので、水を無駄に使用することのない給湯装置を提供することを課題とする。
【課題を解決するための手段】
【０００７】
図１および図２を参照して説明する。請求項１に記載の給湯装置１は、水道水と温水とを混合して適温の混合水を供給するための装置であって、前記水道水と温水を混合し、蛇口２ａから供給する混合水栓２と、前記温水を作り出す給湯器３と、上流側が前記給湯器３に給湯管７によって連結され、下流側が前記混合水栓２に送り管８によって連結されると共に、前記給湯器３に戻し管９を介して連結された水温度切替弁４と、を備える。
【０００８】
また、前記水温度切替弁４は、前記蛇口２ａを開放した際には、前記送り管８を閉状態とすると共に、前記戻し管９を開状態として、前記給湯管７に残存している冷水を前記給湯器３に送り戻すものであり、その後、前記給湯器３から送られてくる温水を温度感知して作動し、前記送り管８を開状態とする共に前記戻し管９を閉状態として、前記温水を前記混合水栓２に送り出すものである。
【０００９】
請求項２に記載の給湯装置１は、水道水と温水とを混合して適温の混合水を供給するための装置であって、前記水道水と温水を混合し、蛇口２ａから供給する混合水栓２と、前記温水を作り出す給湯器３と、上流側が前記給湯器３に給湯管７によって連結され、下流側が前記混合水栓２に送り管８によって連結されると共に、前記給湯器３に戻し管９を介して連結された水温度切替弁４と、を備える。
【００１０】
また、前記水温度切替弁４は、前記蛇口２ａを開放した際には、前記送り管８を閉状態とすると共に、前記戻し管９を開状態として、前記給湯管７に残存している冷水を前記給湯器３に送り戻すものであり、その後、前記給湯器３から送られてくる温水を温度感知して作動し、前記送り管８を開状態とする共に前記戻し管９を閉状態として、前記温水を前記混合水栓２に送り出すものである。
【００１１】
さらに、前記戻し管９に、水流感知センサー５ａによって作動し、当該戻し管９の冷水を前記給湯器３に加圧供給する加圧液体ポンプ５を設け、その下流側に、逆止弁６を設けた。
【００１２】
請求項３に記載の給湯装置１は、請求項１または２に記載の考案において、水温度切替弁４を、バイメタル作動弁で構成したものである。
【００１３】
バイメタル作動弁は、熱膨張係数の異なる二種類の金属を接着し、圧延によって板状に形成したもので、温度変化を受けると湾曲する性質を利用して作動させる弁である。本考案では、冷水と温水の温度差によって作動（湾曲）する。
【００１４】
請求項４に記載の給湯装置は、請求項１乃至３に記載の考案において、給湯管７と送り管８との間に、水温度切替弁４を通過しないバイパス管１２を設けたものである。このバイパス管１２には、給湯管７に残存している冷水の一部を通過させる。
【考案の効果】
【００１５】
請求項１に記載の給湯装置１は、水温度切替弁４を設けることによって、蛇口２ａを開放した際には、送り管８を閉状態とすると共に、戻し管９を開状態として、給湯管７に残存している冷水を給湯器３に送り戻すようにしている。また、その後、給湯器３から送られてくる温水を温度感知して作動し、送り管８を開状態とする共に戻し管９を閉状態として、温水を混合水栓２に送り出すようにしている。
【００１６】
これにより、蛇口２ａを開放する前に給湯管７に残存している冷水を捨てることなく、再び給湯器３で加温して使用することができる。従って、水を無駄にすることがない。
【００１７】
請求項２に記載の給湯装置１は、請求項１に記載の考案と同様の効果を発揮する。また、戻し管９に、水流感知センサー５ａによって作動し、その戻し管９の冷水を給湯器３に加圧して供給する加圧液体ポンプ５を設けているので、戻し管９の冷水を効果的に給湯器３に送り戻すことができる。
【００１８】
また、この戻し管９の下流側に、逆止弁６を設けているので、給湯器３に供給するための水が逆流して戻し管９に侵入するといった事態を未然に防止することができる。これによっても、戻し管９の冷水を効果的に給湯器３に送り戻すことができる。
【００１９】
請求項３に記載の給湯装置１は、請求項１および２に記載の考案と同様の効果を発揮する。また、水温度切替弁４を、バイメタル作動弁で構成しているので、構成な簡易とすることができるといった利点がある。
【００２０】
請求項４に記載の給湯装置は、請求項１乃至３に記載の考案と同様の効果を発揮する。また、給湯管７と送り管８との間に、水温度切替弁４を通過しないバイパス管１２を設けたので、この装置が正常に作動していることを使用者に判断させることができる。
【００２１】
すなわち、例えば、高温の温水のみを供給するように設定して蛇口２ａを開放した場合、蛇口２ａから水道水は供給されない。また、バイパス管１２を設けないと、給湯管７に残存している全ての冷水が戻し管９に送られてしまい、蛇口２ａに供給されない。従って、蛇口２ａからは水が供給されない状態となり、使用者はこの給湯装置が故障しているものと判断してしまい易い。
【００２２】
本考案に係る給湯装置１は、バイパス管１２を設けたことによって、蛇口２ａを開放した際に、給湯管７に残存している冷水の一部を、瞬時に、蛇口２ａから供給することができるので、こうした弊害が発生しない。
【図面の簡単な説明】
【００２３】
【図１】本考案に係る給湯装置の実施形態を示す構成図である。
【図２】図１における給湯装置の水温度切替弁を示す一部断面構成図である。
【考案を実施するための形態】
【００２４】
本考案に係る給湯装置１の実施形態を、図１および図２に示す。この給湯装置１は、水道水と温水とを混合して適温の混合水を供給するための装置であり、混合水栓２、給湯器３および水温度切替弁４を備える。
【００２５】
混合水栓２は、水道水と温水を混合し、蛇口２ａから供給するものである。水道水は給水管１１によって混合水栓２に供給される。給湯器３は、ガスや電気によって水道水（冷水）から温水を作り出すものである。また、水温度切替弁４は三つ又状であり、その上流側が給湯器３に給湯管７によって連結され、また、その下流側が混合水栓２に送り管８によって連結されると共に、給湯器３に戻し管９を介して連結される。
【００２６】
なお、本実施形態における戻し管９は、給湯器３に水道水を供給するための供給管１０に接続しているが、給湯器３に直接接続することもできる。
【００２７】
そして、水温度切替弁４は、蛇口２ａを開放した際には、送り管８を閉状態とすると共に、戻し管９を開状態として、給湯管７に残存している冷水を供給管１０を介して給湯器３に送り戻す機能を備える。また、その後、給湯器３から送られてくる温水を温度感知して作動し、送り管８を開状態とする共に戻し管９を閉状態として、その温水を混合水栓２に送り出す機能を備える。本実施形態における水温度切替弁４は、弁体部４ａとメタル部４ｂを備えるバイメタル作動弁で構成している。メタル部４ｂは、熱膨張係数の異なる二種類の金属を接着し、圧延によって板状に形成したものである。
【００２８】
なお、本実施形態では、戻し管９に、電気式の水流感知センサー５ａによって作動し、戻し管９の冷水を加圧して、供給管１０を介して給湯器３に供給する加圧液体ポンプ５を設けている。また、その下流側に、逆止弁６を設けている。
【００２９】
さらに、本実施形態では、給湯管７と送り管８との間に、水温度切替弁４を通過しないバイパス管１２を設けている。このバイパス管１２には、給湯管７に残存している冷水の一部を通過させる。
【００３０】
この水温度切替弁４は、冷水の冷熱を感知している状態では、戻し管９の上流端開口部９ａを開放した状態（送り管８の上流端開口部８ａを閉じた状態）とする。また、温水の温熱を感知すると、湾曲して、送り管８の上流端開口部８ａを開放した状態（戻し管９の入口９ａを閉じた状態）とする。
【００３１】
本実施形態に係る給湯装置１は、次のように作動する。まず、混合水栓２の蛇口２ａを開放すると、水道水が給水管１１から混合水栓２に供給されると同時に、給湯器３から温水が給湯管７に送り出される。温水が給湯管７に送り出されることによって、この給湯管７に残存している冷水は、水温度切替弁４によって開放状態にある戻し管９を通り、供給管１０を通過して給湯器３に送り戻される。なお、この状態では、水温度切替弁４は、給湯管７に残存している冷水を温度感知して、その弁体部４ａが戻し管９を開放した状態（送り管８を閉じた状態）にある。
【００３２】
そして、この際、戻し管９に設けた加圧液体ポンプ５が、その水流感知センサー５ａが感知する冷水の流れによって作動し、この冷水を加圧する。加圧された冷水は、逆止弁６を通って供給管１０を通過し、給湯器３に効果的に送り戻される。これにより、給湯管７に残存していた冷水を給湯器３によって再び加温して使用することができるので、水を無駄にしない。
【００３３】
なお、戻し管９に設けた逆止弁６の働きによって、供給管１０に送られた冷水あるいはそこを通過する水道水が戻し管９に逆流するのを防止することができる。従って、冷水をより効果的に給湯器３に送り戻すことができる。
【００３４】
その後、給湯器３から送られてきた温水が給湯管７を通って水温度切替弁４に達すると、当該水温度切替弁４はその温水を温度感知して作動し、その弁体部４ａが送り管８の上流端開口部８ａを開放すると共に、戻し管９の上流端開口部９ａを閉じる。これによって、温水は送り管８に送られた後、混合水栓２に供給され、そこで水道水と混同されて適温となり蛇口２ａから送り出されて使用される。
【００３５】
本実施形態に係る給湯装置１は、戻し管９を設けると共に、その戻し管９に水温度切替弁４を設けているので、蛇口２ａを開放する前に給湯管７に残存している冷水を捨てることなく、再び給湯器３で加温して使用することができる。これにより、水を無駄なく使用することができる。
【００３６】
また、戻し管９に、水流感知センサー５ａによって作動し、その戻し管９の冷水を給湯器３に加圧して供給する加圧液体ポンプ５を設けているので、戻し管９の冷水を効果的に給湯器３に戻すことができる。これによっても、水を無駄なく使用することができる。
【００３７】
さらに、戻し管９の下流側に、逆止弁６を設けているので、給湯器３に供給するための水が逆流して戻し管９に侵入するといった事態を未然に防止することができる。これにより、戻し管９の冷水をより効果的に給湯器３に戻すことができ、水の無駄をさらに防止することができる。
【００３８】
なお、この給湯装置１は、水温度切替弁４をバイメタル作動弁で構成しているので、当該給湯装置１の構成を簡易なものとすることができる。これにより、製造が容易となり、製造コストを廉価に抑えることができる。
【００３９】
さらに、本実施形態に係る給湯装置１は、給湯管７と送り管８との間に、水温度切替弁４を通過しないバイパス管１２を設けているので、例えば、高温の温水のみが供給できるように設定した上で、蛇口２ａを開放すると、給湯管７に残存している冷水の一部が、瞬時に、このバイパス管１２を通過して蛇口２ａから供給される。従って、使用者は、この給湯装置１が正常に作動していると判断することができる。
【符号の説明】
【００４０】
１        給湯装置
２        混合水栓
２ａ      蛇口
３        給湯器
４        水温度切替弁
４ａ      弁体部
４ｂ      メタル部
５        加圧液体ポンプ
５ａ      水流感知センサー
６        逆止弁
７        給湯管
８        送り管
８ａ      上流端開口部
９        戻し管
９ａ      入口
１０      供給管
１１      給水管
１２      バイパス管
【図１】
0003153758.tif 000003
【図２】
0003153758.tif 000004